(57)【要約】【課題】ゴルフプレーヤーが、打球前から打球直後までヘッドアップしないように訓練するための、ゴルフ練習具を提供すること。【解決手段】練習マット１の下に固着された箱体２の上部に、ゴルフクラブ１２の進行方向に沿って、複数の拡散反射型光電センサー４、５、６、７、及び複数の発光装置４０、５０、６０、７０を交互に取り付け、光電センサーと発光装置の部分の練習マット１を切り取った。これにより、ゴルフクラブ１２がゴルフボール１１に向かって進んで行くと、発光装置４０、５０、６０、７０が次々と発光して行くので、練習者がこれらの発光を目で追って行けば、ヘッドアップを防止できることになる。【選択図】図２
2018198803.tif 000002
【特許請求の範囲】
【請求項１】
練習者が振り下ろすゴルフクラブが練習マットに近づいて来た時から打球されるまで、
ゴルフクラブの進行方向に沿って、練習マット下部の箱体内に設置した複数個の拡散反射型光電センサーにより、ゴルフクラブの動きを次々に感知し、
感知した信号を、練習マットの下部箱体内に設置された発光素子に伝達し、
発光素子が次々に発する光を、練習者が上から見られるようにしたことにより、ヘッドアップを防止することを特徴とするゴルフ練習具。
【請求項２】
請求項１に記載したゴルフ練習具において、
打球位置の打球方向前方に、更に複数組の拡散反射型光電センサー及び発光素子を設置したことを特徴とするゴルフ練習具。
【請求項３】
請求項１又は２に記載したゴルフ練習具において、
前記複数個の拡散反射型光電センサーを、練習マットの打球直角方向前方に置かれた、第２の箱体内に設置したことを特徴とするゴルフ練習具。
【発明の詳細な説明】
【技術分野】
【０００１】
本発明はゴルフ練習具に係わり、ゴルフ練習者がゴルフボールを打球する直前から打球終了時まで、ゴルフクラブの動きを目で追い易くすることにより、ヘッドアップを防止するようにした練習具に関する。
【背景技術】
【０００２】
ゴルフボールを正しい方向に、遠くまで飛ばすための条件の一つは、プレーヤーがゴルフボールを打球する時に、ヘッドアップをしないで、ボールを見て打球することである。
【０００３】
ヘッドアップしないことを練習するためには、打球時に、ゴルフクラブがゴルフボールに当たったということを確認できる必要がある。
【０００４】
そのことを実行する方法の一つとして、光電センサーと発光素子を用いて、打球時にゴルフボールがヒットされたことを表示する方法がある。
【０００５】
光電センサーと発光素子を用いたヘッドアップ防止用練習具としては、下記特許文献１、２のゴルフ練習具が知られている。
【先行技術文献】
【特許文献】
【０００６】
【特許文献１】特開平０６−０３４６７１号公報
【特許文献２】特開平２０１３−１４３９７５号公報
【０００７】
上記特許文献１に記載のゴルフ練習具では、打球前のゴルフボールの前方（飛球方向と直角な方向）に置かれた箱体内に、拡散反射型光電センサーと打球終了を知らせる表示灯及び電源を収納し、打球により球座（ティー）からゴルフボールが亡くなったことを表示して、その表示を練習者に認識させることにより、ヘッドアップを防止しようとするものである。
【０００８】
一方、上記特許文献２に記載のゴルフ練習具では、球座を介して練習マット上に置かれたゴルフボールが打球されると、拡散反射型光電センサーと発光素子により、時間遅れで表示部に乱数が表示される仕組みとなっており、練習者が表示内容を認識することにより、ヘッドアップが防止されるとされている。
【発明の概要】
【発明が解決しようとする課題】
【０００９】
上記特許文献１、２に記載のゴルフ練習具では、練習者が、打球直前に表示部を見てしまう恐れがある。これにより、ヘッドアップ防止が完全なものとならず、ゴルフボールの飛ぶ方向や飛距離が悪くなることが考えられる。
（発明の目的）
【００１０】
本発明は、ゴルフクラブがゴルフボールに当たる少し前から当たった直後まで、ゴルフクラブの動きを目で追い易くすることによって、ヘッドアップを防止させるようなゴルフ練習具を提供することを、その目的とする。
【課題を解決するための手段】
【００１１】
上記目的を達成するために、本発明に係わるゴルフ練習具では、ゴルフクラブが練習マットに近づいて来た時から、ゴルフクラブの進行方向に沿って置かれた複数個の拡散反射型光電センサーにより、ゴルフクラブの動きを次々に感知できる構成となっている。感知された反射光は、受光回路によって、練習マット下部に設置された発光素子に伝達され、その光を練習者が上から見られるようになっている。
【発明の効果】
【００１２】
ヘッドアップの癖が付いている人は、その癖を直そうとしても、なかなか直すことができない。本発明では、練習者が打球前からゴルフクラブの動きを認識することにより、打球直後までヘッドアップを防止できるようにしたものである。
打球直後まで、ゴルフクラブの動きを示す発光素子の光が、ゴルフクラブの通過位置直下に表示されるので、ヘッドアップ防止の効果が現れやすい構成となっている。
【図面の簡単な説明】
【００１３】
【図１】本発明のゴルフ練習具の斜視図である。
【図２】図１のＡ−Ａ線に沿った平面断面図である。
【図３】拡散反射型光電センサーと発光素子を用いた、移動物体検出・表示装置の説明図を示す。
【発明を実施するための形態】
【００１４】
以下、本発明の実施形態について、図１乃至図３を参照して説明する。
【００１５】
図１は、本発明の実施形態における斜視図を示したものである。人工芝のような練習マット１には、練習者が振り下ろすゴルフクラブ１２の進行方向に沿って、複数の拡散反射型光電センサー用の孔３ａ，３ｃ，３ｅ，３ｇ，及び発光装置用孔３ｂ，３ｄ，３ｆが開けられている。又、これらの孔列の最前部にも、発光装置用の孔（図示せず）が開けられており、その孔の上にゴルフボール１１を置くための球座（ティー）１０が取り付けられている。
球座１０を省略し、発光装置用孔の上に直接ゴルフボール１１を置いて打球練習を行っても良い。
【００１６】
図２は、本発明の実施形態における正面断面図（図１のＡ−Ａ矢印に沿った断面図）を示したものである。練習マット１の下には箱体２が固着されており、箱体２の上部には、ゴルフクラブ１２の進行方向に沿って、複数の拡散反射型光電センサー４、５、６、７、及び複数の発光装置４０、５０、６０、７０が、交互に取り付けられている。発光装置４０、５０、６０、７０は、それぞれ光電センサー４、５、６、７に対応するものである。
【００１７】
光電センサー４、５、６、７及び発光装置４０、５０、６０、７０は、配線８によって電源９に接続されている。
【００１８】
図３に、拡散反射型光電センサーと発光装置の作動原理を示す。投光素子から発せられる入射光は、検出物体（本発明においては、ゴルフクラブ）にぶつかって反射され、その反射光の一部が受光素子、受光回路を経て発光装置の発光素子に入力され、光を発する仕組みとなっている。
【００１９】
図２において、ゴルフクラブ１２が最初の光電センサー４の上を通過すると、光電センサー４の投光素子４ａが発する入射光４Ａの一部は、ゴルフクラブ１２に当たって反射され、反射光４Ｂとなって発電センサー４の受光素子４ｂに入力される。この受光素子４ｂが発生する信号が受光装置４０に入力され、発光することになる。
【００２０】
ゴルフクラブ１２がゴルフボール１１に向かって進んで行くと、光電センサー５、６、７により、発電装置５０、６０、７０が次々と発光して行く。最後の光電センサー７は、ゴルフボール１１の下に取り付けられた発光装置７０に対応しており、ゴルフボールが打球されたことを示すものである。
従って、発光装置５０、６０、７０が発する色は同色でも良いが、発光装置７０は、他の発光装置と異なる色を発光することが望ましい。
【００２１】
練習者は、各発光装置が次々に発する光を目で追いつつ、打球されたことを示す発光装置７０の発光を確認すれば、自然にヘッドアップ防止の訓練をすることになる。
【００２２】
発光装置７０の先に、更に複数組の光電センサー及び発光装置（図示せず）を取り付けても良い。これによって、練習者は、打球後もより長い時間、ヘッドアップしないように訓練することができる。
【００２３】
本発明のゴルフ練習具を使用する際には、本ゴルフ練習具と同じ高さのマットに乗って使用することが望ましい。又は、本ゴルフ練習具と練習者打席用マットを一体化したもの（図示せず）を作製して、それを使用しても良い。
【００２４】
本発明のゴルフ練習具は、ゴルフ練習場では勿論のこと、家庭の庭においても使用可能である。但し、家庭の庭で使用する際には、ゴルフボールの代わりに、非常に柔かいプラスチック製ボールを使用することが必要である。
【産業上の利用可能性】
【００２５】
ゴルフボールを打球する際のヘッドアップは、多くのアマチュア・ゴルフプレーヤーの悩みである。本発明のヘッドアップ防止用ゴルフ練習具は、このようなアマチュア・ゴルフプレーヤーの悩みを解消するものとして、広く利用される可能性を有する。
【符号の説明】
【００２６】
１・・・・練習用マット
２・・・・箱体
３（３ａ，３ｂ、３ｃ，３ｄ、３ｅ，３ｆ、３ｇ）・・・・練習用マット切欠き部
４、５、６、７・・・・拡散反射型光電センサー
８・・・・配線
９・・・・電源
１０・・・・球座（ティー）
１１・・・・ゴルフボール
１２・・・・ゴルフクラブ
４０、５０、６０、７０・・・・発光装置
【図１】
2018198803.tif 000003
【図２】
2018198803.tif 000004
【図３】
2018198803.tif 000005